(57)【要約】【解決する課題】本発明は、車椅子の使用者の状況に合わせて、車椅子の前後方向に長さを簡単に調整することができ、さらに、車椅子の主車輪を前後に、又は上下に調節が可能な車椅子を提供する。【課題を解決する手段】一方端がサイドフレーム２５に摺動自在に挿嵌され、他方端にフットレスト１７を有する前部フレーム１４と、その下端部に一方端が固着された下部フレーム２０と、一方端が前記サイドフレームの後端部に固着され、他方端が前記下部フレームの前方中程にかけて傾斜して移動可能に添着された主車輪を軸支する軸フレーム２６とよりなる車椅子に、前記前部フレームを摺動させて位置を調節するための第１調節部３１と、前記軸フレームを摺動させて位置を調節するための第２調節部３３と、前記主車輪を軸支する軸フレーム２６に、主車輪２１の位置を変更する第３調節部３４とを設けた車椅子１００とした。【選択図】図１
2004242773.tif 000002
【特許請求の範囲】
【請求項１】
一方端が複数個のネジ孔を有するサイドフレームに摺動自在に挿嵌され、他方端にフットレストを有する前部フレームと、
該前部フレームの下端部にその一方端が固着された複数個のネジ孔を有する下部フレームと、
一方端が前記サイドフレームの後端部に固着され、他方端が前記下部フレームの前方中程にかけて傾斜して移動可能に添着された主車輪を軸支する軸フレームとよりなる車椅子に、
前記前部フレームをサイドフレーム上を摺動させて位置を調節するための第１調節部と、前記軸フレームを下部フレーム上を摺動させて位置を調節するための第２調節部と、前記主車輪を軸支する軸フレームに、主車輪の位置を変更するための第３調節部とを設け、車椅子の前後方向の長さと、主車輪の位置を前後方向、及び上下方向の高さ調節が可能であることを特徴とする車椅子。
【発明の詳細な説明】
【０００１】
【発明の属する技術分野】本発明は、車椅子の使用者の状況に合わせて、車椅子の前後方向の長さの調節、及び主車輪の位置を前後、又は上下に調節することが可能な車椅子に関わる。
【０００２】
【従来の技術】車椅子を長期間にわたって使用するときは、体の状況、例えば、子供から大人への成長に伴って、当初使用していた車椅子では小さくなってくる場合がある。このような場合でも、できるだけ長く使用できるように、特許文献には、座部の前端部に設けられた前記座部の前後方向に移動自在な連結部材と、前記連結部材に回動自在に枢支された足台ステートと、前記連結部材を任意の位置で無段階に支持するロッドとを備えた車椅子の座席構造であって、前記ロッドにコイルスプリングを締め付けつつ巻き付けて、これを車椅子のフレームに支持された管体に装嵌すると共に前記コイルスプリングの一端を前記ロッド回りで回動してその締め付けを解除する解除レバーに固定し、他端を前記管体に固定したことを特徴とする車椅子の座席構造が開示されている。ここで開示されている車椅子は、車椅子の座席を前後方向への長さ調節や、足台ステーの幅を変更することができる車椅子である。
【０００３】
しかし、脚が曲がらず伸ばすことができなかった脚が、日々好転して次第に伸ばせるようになったりすることは、治療期間中に屡々認められることである。このような場合に、容易に車椅子の座席の長さや、主車輪の位置の高さを調整できる車椅子の出現が望まれている。また、初めて車椅子を利用しなければならなくなった時に、使用者が自分に合った車椅子を選ぶことは大変である。このような場合にも車椅子の高さや、前後方向の長さを若干修正するだけで、使用者の体に合った車椅子に簡単に調整することができる車椅子の出現が望まれていた。このように、車椅子の使用者の成長や、疾患の状況に合わせて車椅子の座席を前後方向に調節するのみでなく、車椅子の高さ、主車輪の前後への位置の変更が可能な車椅子の出現が望まれていた。
【０００４】
【特許文献１】特開２００１−１４９１７９号公報
【０００５】
【発明が解決しようとする課題】本発明は、車椅子の使用者の状況に合わせて、車椅子の前後方向に長さを簡単に調整することができ、さらに、車椅子の主車輪を前後に、又は上下に調節が可能な車椅子を提供することにある。
【０００６】
【課題を解決する手段】上記課題を解決するために、鋭意研究を重ねた結果、車椅子のサイドフレームに前部フレームの一端を挿嵌することにより、前部フレームをサイドフレーム上を摺動させ、サイドフレームの後端部に固着された軸フレームを下部フレーム上を移動させることによって、車椅子のフレームが車椅子の前後方向に移動して、車椅子の長さを前後方向に調節することが可能となった。
【０００７】
本発明の特徴は、一方端が複数個のネジ孔を有するサイドフレームに摺動自在に挿嵌され、他方端にフットレストを有する前部フレームと、該前部フレームの下端部にその一方端が固着された複数個のネジ孔を有する下部フレームと、一方端が前記サイドフレームの後端部に固着され、他方端が前記下部フレームの前方中程にかけて傾斜して移動可能に添着された主車輪を軸支する軸フレームとよりなる車椅子に、前記前部フレームをサイドフレーム上を摺動させて位置を調節するための第１調節部と、前記軸フレームを下部フレーム上を摺動させて位置を調節するための第２調節部と、前記主車輪を軸支する軸フレームに、主車輪の位置を変更するための第３調節部とを設け、車椅子の前後方向の長さと、主車輪の位置を前後方向、及び上下方向の高さ調節が可能であることを特徴とする車椅子である。
【０００８】
車椅子の前部フレームをサイドフレーム上を摺動させ、サイドフレームの後端に固着された軸フレームを、下部フレーム上を移動させることによって、車椅子の長さが前後方向に調節することを可能とした。車椅子の長さを前後方向に調節することによって、車椅子の長さを使用者の疾患の状況に合わせて調節して使用することできる。さらに、軸フレームに主車輪を軸支する軸孔を上下、あるいは前後に複数個設けることによって、主車輪の位置を替えることが可能となった。車椅子の主車輪を軸支する軸孔の位置を前後の孔に移動することにより、または、主車輪を軸支する軸孔の位置を上下に移動させることによって、使用者がハンドリムを扱いやすい位置になるように調整することができる。
【０００９】
【発明の実施の態様】本発明の実施の態様を以下に図面で説明するが、これは代表的な例を示したものであり、その要旨を超えない限り、本発明は以下の実施例に限定されるものではない。
【００１０】
本発明の車椅子は１００は、図１に示すように、後部フレーム２７に背もたれ１１と、クロスバー１９の上端部に固着された座部支持フレーム２４に設けられた座部１３と、サイドフレーム２５に前部フレーム１４の端部に取着された挿嵌部１４ａが挿嵌された前部フレーム１４にはレッグレスト１５と、前部フレームの端部からフットレスト支持フレーム１６が挿嵌されてフットレスト１７が着設されている。駆動輪である主車輪２１にはハンドリム２３が取着され、該主車輪２１は軸フレーム２６に着脱自在に軸支されている。下部フレーム２０の前方よりには前部キャスター１８が着設されている。
【００１１】
図２は本発明の車椅子１００の主車輪２１を取りはずして、その側面より見た図を示す。前部フレーム１４の端部に取着された挿嵌部１４ａが挿嵌された挿嵌部１４ａと、該挿嵌部１４ａが挿嵌されたサイドフレーム２５の前方部とサイドガード１２の前方下端部に複数個のネジ孔を設けて、前後方向に３段階に長さを調整する第１調節部３１を設けた。サイドガード１２の後方端はサイドフレーム２５の後方端に設けられた後部フレーム支持管２５ａに、背もたれを着設するための後部フレーム２７と共にネジ止めされている。
【００１２】
サイドフレーム２５の後端部に設けられた後部フレーム支持管２５ａの前に車椅子の前方下方に向けて軸フレーム２６の一方端を固設した。前記軸フレーム２６の他方端は、その端部にクロスバー１９を軸着するためのコの字形をしたＬ字形の底板２６ａを張り付けて、複数個のネジ孔を有する下部フレーム２０上に乗せて第２調節部３３とした。この第２調節部３３は、前記軸フレーム２６のＬ字形の底板２６ａを下部フレーム２０上を前後させて、第１調節部３１とともに移動させて、座席の位置調整を行うことが出来る。座席の位置を調節した後は下部フレーム２０の側面にネジで固定される。
【００１３】
前部フレーム１４の端部に取着された挿嵌部１４ａの一方端がサイドフレーム２５に摺動可能に挿嵌され、他方端には下部フレーム２０が固着されている。該前部フレーム１４の下端部からフットレスト支持フレーム１６を嵌挿してネジで固定した。前部フレーム１４が挿嵌されたサイドフレーム２５の前方端には複数個のネジ孔を設けて第１調節部３１とした。サイドフレーム２５の後方端には後部フレーム支持管２５ａを設け、該後部フレーム支持管２５ａに背もたれ１１を着設する後部フレーム２７を挿入して、サイドガード１２の後方端と共に後部フレーム支持管２５ａにネジで固定した。サイドフレーム２５の後端部で、前記後部フレーム支持管２５ａの前から車椅子の前方下方に向けて軸フレーム２６を固設した。この軸フレーム２６の上方に主車輪２１の車軸を軸支する軸孔３５、３６が上に２列、下に３列の２段の孔が穿設されている。
【００１４】
第１調節部３１は図３に示すように、タックルブレーキ支持部３２とサイドガード１２の前端部、前部フレーム１４の挿嵌部がサイドフレーム２５に設けられたネジ孔に一体となってネジ止めされている。図３のサイドガード１２の裏面は図４に示すように、前部フレーム１４の端部に取着された挿嵌部１４ａがサイドフレーム２５の前方側に挿嵌されている。サイドフレーム２５の前方側、前部フレーム１４の端部に取着された挿嵌部１４ａが挿嵌された部分には、６つのネジ孔が設けられ、前部フレーム１４の端部に取着された挿嵌部１４ａには２つのネジ孔が設けられており、この２つのネジ孔を有する挿嵌部１４ａを摺動させることにより、３段階の位置調節が可能となっている。位置の調節後は、タックルブレーキ支持部３２とサイドガード１２、及び挿嵌部１４ａがサイドフレーム２５に、図３に示すネジ３１ａと３１ｂで固定されている。軸フレーム２６のＬ字形の底板２６ａに回動自在に軸支されたクロスバー１９の上部に着設された座部支持フレーム２４を安定化させるために、挿嵌部１４ａに座部支持フレーム２４を受ける座部支持フレーム受け部１４ｂが着設されている。
【００１５】
図５（５−１）は第２調節部３３を示す。第２調節部３３は下部フレーム２０の後方に６個のネジ孔を設けて、座金３３ｃを当ててネジ３３ａと３３ｂで軸フレーム２６に固設されたＬ字形の底板２６ａと共にネジで固定されている。車椅子の前後方向への調節はネジ３３ａと３３ｂを外して、第１調節部３１とともに、３段階の調節が可能となっている。第２調節３３部分の裏面は図５（５−２）に示すように、軸フレーム２６の底端部にクロスバー１９を軸着するためのコの字形をしたクロスバー１９の軸着部１９ａを有するＬ字形の底板２６ａを張り付けて、下部フレーム２０上に添着して側面よりネジ３３ａと３３ｂで固定されている。
【００１６】
主車輪２１の高さと、前後位置の調整をするための第３調節部３４は図６、図７に示す構造となっている。主車輪２１の軸を受ける軸孔３５は、軸フレーム２６の上方に２連の連続した軸孔３５を１か所、その下に３連の連続した軸孔３６を設けた。この５か所の軸孔によって主車輪２１の位置を上下に２段階の調節と、上段で前後へ２段階、又は下段で前後に３段階の調節を可能とした。図７に示すように、第３調節部３４における調節では、軸受け部３５ａに中空のボルトを用い、所望の位置の軸孔３５、又は３６の任意の位置に挿入して、座金３５ｂを挿入して両側からナット３５ｃと３５ｄで締め付けて固定するようにした。
【００１７】
【発明の効果】車椅子の前部フレームをサイドフレーム上を摺動させ、サイドフレームの後端に固着された軸フレームを、下部フレーム上を移動させることによって、車椅子の長さを前後方向に調節することを可能とした。車椅子の長さを前後方向に調節することによって、車椅子の使用者の疾患の状況に合わせて車椅子の長さを調節して使用することできる効果を有している。
【００１８】
さらに、軸フレームに主車輪を軸支する軸孔を上下、あるいは前後に複数個設けることによって、主車輪の位置を車椅子の前後方向又は上下方向に移動させることが可能となった。車椅子の主車輪の位置を前後の位置に移動することにより、または、主車輪の位置を上下の位置に移動させることによって、使用者がハンドリムを扱いやすい位置に、あるいは足をフットレストの適切な位置に当接するように調整することができる効果を有している。
【図面の簡単な説明】
【図１】車椅子の斜視図
【図２】車椅子の部分側面図
【図３】第１調節部の部分側面図
【図４】前部フレームの挿嵌状態を示す斜視図
【図５】第２調節部の部分の側面図
【図６】第３調節部の側面図
【図７】第３調節部の分解斜視図
【符号の説明】
１００：本発明車椅子
１１：背もたれ
１２：サイドガード（横板）
１３：座部
１４：前部フレーム
１５：レッグレスト
１６：フットレスト支持フレーム
１７：フットレスト
１８：前部キャスター
１９：クロスバー
２０：下部フレーム
２１：主車輪
２２：タックルブレーキ
２３：ハンドリム
２４：座部支持フレーム
２５：サイドフレーム
２６：軸フレーム
２７：後部フレーム
３１：第１調節部
３２：タックルブレーキ支持部
３３：第２調節部
３４：第３調節部
３５：軸孔
３６：軸孔
【図１】
2004242773.tif 000003
【図２】
2004242773.tif 000004
【図３】
2004242773.tif 000005
【図４】
2004242773.tif 000006
【図５】
2004242773.tif 000007
【図６】
2004242773.tif 000008
【図７】
2004242773.tif 000009